(57)【要約】【課題】  迷惑メール（ショートメッセージ）に対する着信拒否を実現し、迷惑メール発信者に対する抑止力を持たせる。【解決手段】  ＳＭＳフィルタ装置が、発着信端末からパケット網もしくは電話回線網を介して送信されるショートメッセージを受信して受信確認のための送達通知を行い、受信したショートメッセージが事前にフィルタ登録がなされている発着信端末宛てのショートメッセージであることが確認されたときに、受信したショートメッセージの本文中における特定文字の判別によりフィルタチェックを行い、当該フィルタチェックの結果に従い固定のショートメッセージを生成して発着信端末に返信する。【選択図】      図２
2006243837.tif 000002
【特許請求の範囲】
【請求項１】
発着信端末とはパケット網もしくは電話回線網を介して接続されるＳＭＳＣ（ショートメッセージサービスセンタ）におけるＳＭＳフィルタ装置であって、
前記発着信端末から前記パケット網もしくは電話回線網を介して送信されるショートメッセージを受信して受信確認のための送達通知を行うＳＭ送受信部と、
前記受信したショートメッセージが、事前にフィルタ登録がなされている発着信端末宛てのショートメッセージであることが確認されたとき、前記受信したショートメッセージの本文中における特定文字の判別によりフィルタチェックを行う機能実行制御部と、
前記フィルタチェックの結果に従い固定のショートメッセージを生成して前記発着信端末に返信する固定ＳＭ生成・送信部と、
を備えることを特徴とするＳＭＳフィルタ装置。
【請求項２】
前記発着信端末から、前記フィルタに関する登録、解除、状態確認機能の少なくとも一つに割当てられる電話番号に基づいて送信されるショートメッセージを受信し、前記電話番号に対応して定義される機能登録を行い、確認のための固定のショートメッセージを送信する機能設定部と、
を備えることを特徴とする請求項１に記載のＳＭＳフィルタ装置。
【請求項３】
前記発着信端末から前記パケット網もしくは電話回線網を介して送信されるショートメッセージを受信したときに前記発着信端末に対する課金処理を実行する課金処理部と、
を備えることを特徴とする請求項１に記載のＳＭＳフィルタ装置。
【請求項４】
前記ショートメッセージによる送達通知のための返信後、所定時間経過後に前記固定のショートメッセージを送信し、前記発着信端末における送達通知後の前記固定ショートメッセージの受信を保証するＳＭ送信タイミング制御部と、
を備えることを特徴とする請求項１に記載のＳＭＳフィルタ装置。
【請求項５】
発着信端末と、前記発着信端末とはパケット網もしくは電話回線網を介して接続されるＳＭＳシステムであって、
前記パケット網を介し前記発着信端末から、もしくは後記ＳＭＳフィルタ装置から送信されるショートメッセージを受信し、前記発着信端末が収容されているＳＭＳ配信装置を割り出して制御を渡すＳＭＳゲートウェイと、
前記電話回線網を介し前記発着信端末からショートメッセージを受信し、前記発着信端末を収容する前記ＳＭＳ配信装置を割り出して制御を渡すＳＭＳ振分装置と、
前記ＳＭＳゲートウェイならびにＳＭＳ振分装置から受信したショートメッセージを、前記発着信端末の在圏位置を割り出して交換網へ配信するＳＭＳ配信装置と、
前記ＳＭＳゲートウェイならびにＳＭＳ振分装置からショートメッセージを受信して受信確認のための送達通知を行い、前記受信したショートメッセージが、事前にフィルタ登録がなされている発着信端末宛てのショートメッセージであることが確認されたとき、前記受信したショートメッセージの本文中における特定文字の判別によりフィルタチェックを行い、前記フィルタチェックの結果に従い固定のショートメッセージを生成して前記ＳＭＳゲートウェイもしくはＳＭＳ配信装置経由で前記発着信端末に返信するＳＭＳフィルタ装置と、
を備えることを特徴とするＳＭＳシステム。
【請求項６】
発着信端末とはパケット網もしくは電話回線網を介して接続されるＳＭＳＣ（ショートメッセージサービスセンタ）におけるＳＭＳフィルタ装置に用いられるプログラムであって、
前記発着信端末から前記パケット網もしくは電話回線網を介して送信されるショートメッセージを受信して受信確認のための送達通知を行う処理と、
前記受信したショートメッセージが、事前にフィルタ登録がなされている発着信端末宛てのショートメッセージであることが確認されたとき、前記受信したショートメッセージの本文中における特定文字の判別によりフィルタチェックを行う処理と、
前記フィルタチェックの結果に従い固定のショートメッセージを生成して前記発着信端末に返信する処理と、
をコンピュータに実行させるプログラム。
【発明の詳細な説明】
【技術分野】
【０００１】
本発明は、ＳＭＳ（ショートメッセージサービス）フィルタ装置およびＳＭＳシステムならびにプログラムに関する。
【背景技術】
【０００２】
ＳＭＳとは、携帯電話間で、通常１００から２００文字程度の短いテキストをやりとりするサービスのことをいい、インターネットを経由する電子メール（Ｅメール）とは全く別のシステムである。送られたショートメッセージは、一旦ＳＭＳＣ（ショートメッセージサービスセンタ）に保存され、相手の携帯電話が受信可能状態になってときに送られる。
【０００３】
ところで、上記したＥメールにおいて、ユーザが、自分宛てに届いたメールを今後不要であると判断した場合、そのメールに含まれるＵＲＬ（Uniform Resource Locator）もしくは電話番号等の情報をフィルタリング対象（受信拒否）として登録することで、迷惑メールの受信拒否を行うことのできるフィルタリング方式が知られている（例えば、特許文献１参照）。
【特許文献１】特開２００３−２６３３９１号公報（段落「０００５」〜「０００６」、図２）
【発明の開示】
【発明が解決しようとする課題】
【０００４】
上記した特許文献１に開示された技術のほかに、宛先エラーの多いメールの拒否や利用者が拒否するドメイン名を登録することによってＥメールのフィルタリングがなされているが、送信者側も巧妙になっており、いたちごっこの状態が続いているのが現状である。また、迷惑メールは上記したＥメールのみならず、ショートメッセージにおいても同様、問題が深刻化しており、対策が望まれていた。
【０００５】
本発明は上記事情に基づいてなされたものであり、ショートメッセージのフィルタリングを簡単に登録できる環境を構築し、かつ、迷惑メールに対する着信拒否を実現する、ＳＭＳフィルタ装置およびＳＭＳシステムならびにプログラムを提供することを目的とする。
また、センタで一旦迷惑メールを受信したときに課金処理を実行することにより、送信者に対する抑止力を期待できる、ＳＭＳフィルタ装置およびＳＭＳシステムならびにプログラムを提供することも目的とする。
【課題を解決するための手段】
【０００６】
上記した課題を解決するために本発明は、発着信端末とはパケット網もしくは電話回線網を介して接続されるＳＭＳセンタにおけるＳＭＳフィルタ装置であって、前記発着信端末から前記パケット網もしくは電話回線網を介して送信されるショートメッセージを受信して受信確認のための送達通知を行うＳＭ送受信部と、前記受信したショートメッセージが、事前にフィルタ登録がなされている発着信端末宛てのショートメッセージであることが確認されたとき、前記受信したショートメッセージの本文中における特定文字の判別によりフィルタチェックを行う機能実行制御部と、前記フィルタチェックの結果に従い固定のショートメッセージを生成して前記発着信端末に返信する固定ＳＭ生成・送信部と、を備えることを特徴とする。
【０００７】
また、本発明において、前記発着信端末から、前記フィルタに関する登録、解除、状態確認機能の少なくとも一つに割当てられる電話番号に基づいて送信されるショートメッセージを受信し、前記電話番号に対応して定義される機能登録を行い、確認のための固定のショートメッセージを送信する機能設定部と、を備えることを特徴とする。
【０００８】
また、本発明において、前記発着信端末から前記パケット網もしくは電話回線網を介して送信されるショートメッセージを受信したときに前記発着信端末に対する課金処理を実行する課金処理部と、を備えることを特徴とする。
【０００９】
また、本発明において、前記ショートメッセージによる送達通知のための返信後、所定時間経過後に前記固定のショートメッセージを送信し、前記発着信端末における送達通知後の前記固定ショートメッセージの受信を保証するＳＭ送信タイミング制御部と、を備えることを特徴とする。
【００１０】
また、本発明は、発着信端末と、前記発着信端末とはパケット網もしくは電話回線網を介して接続されるＳＭＳフィルタ装置であって、前記パケット網を介し前記発着信端末から、もしくは後記ＳＭＳフィルタ装置から送信されるショートメッセージを受信し、前記発着信端末が収容されているＳＭＳ配信装置を割り出して制御を渡すＳＭＳゲートウェイと、前記電話回線網を介し前記発着信端末からショートメッセージを受信し、前記発着信端末を収容する前記ＳＭＳ配信装置を割り出して制御を渡すＳＭＳ振分装置と、前記ＳＭＳゲートウェイならびにＳＭＳ振分装置から受信したショートメッセージを、前記発着信端末の在圏位置を割り出して交換網へ配信するＳＭＳ配信装置と、前記ＳＭＳゲートウェイならびにＳＭＳ振分装置からショートメッセージを受信して受信確認のための送達通知を行い、前記受信したショートメッセージが、事前にフィルタ登録がなされている発着信端末宛てのショートメッセージであることが確認されたとき、前記受信したショートメッセージの本文中における特定文字の判別によりフィルタチェックを行い、前記フィルタチェックの結果に従い固定のショートメッセージを生成して前記ＳＭＳゲートウェイもしくはＳＭＳ配信装置経由で前記発着信端末に返信するＳＭＳフィルタ装置と、を備えることを特徴とする。
【００１１】
また、本発明は、発着信端末とはパケット網もしくは電話回線網を介して接続されるＳＭＳセンタにおけるＳＭＳフィルタ装置に用いられるプログラムであって、前記発着信端末から前記パケット網もしくは電話回線網を介して送信されるショートメッセージを受信して受信確認のための送達通知を行う処理と、前記受信したショートメッセージが、事前にフィルタ登録がなされている発着信端末宛てのショートメッセージであることが確認されたとき、前記受信したショートメッセージの本文中における特定文字の判別によりフィルタチェックを行う処理と、前記フィルタチェックの結果に従い固定のショートメッセージを生成して前記発着信端末に返信する処理と、をコンピュータに実行させることを特徴とする。
【発明の効果】
【００１２】
本発明によれば、ＳＭＳフィルタ装置が、発着信端末からパケット網もしくは電話回線網を介して送信されるショートメッセージを受信して受信確認のための送達通知を行い、受信したショートメッセージが事前にフィルタ登録がなされている発着信端末宛てのショートメッセージであることが確認されたときに、受信したショートメッセージの本文中における特定文字の判別によりフィルタチェックを行い、当該フィルタチェックの結果に従い固定のショートメッセージを生成して発着信端末に返信することにより、迷惑メールに対する着信拒否を実現することができる。
【００１３】
また、ユーザが発着信端末を操作して、登録用、解除用、状態確認用のそれぞれに割当てられた電話番号にショートメッセージを送信するだけでフィルタリングに関するそれぞれの機能を簡単に実行でき、ショートメッセージのフィルタリングを簡単に登録できる環境を構築することができる。更に、本発明によれば、ＳＭＳフィルタ装置が一旦迷惑メールを受信したときに送信者に課金処理を実行することにより迷惑メール発信の抑止力を期待できる。
また、ショートメッセージによる送達通知のための返信後、所定時間経過後に固定のショートメッセージを送信することで、発着信端末における送達通知後の固定ショートメッセージの受信を保証し、このことにより、ＳＭＳフィルタ装置による送達通知のためのショートメッセージと固定ショートメッセージの送信者側における競合受信を回避できる。
【発明を実施するための最良の形態】
【００１４】
図１は、本発明の実施形態に係るＳＭＳシステムのシステム構成の一例を示す図である。
本発明の実施形態に係るＳＭＳシステムは、複数の発着信端末１と、ＳＭＳＣ３に設置される各種サーバ群３１〜３４で構成される。ユーザが操作する発着信端末１は、基地局２経由で、パケット網４もしくは電話回線網５を介してＳＭＳＣ３に設置される各種サーバ群３１〜３４に接続される。なお、ユーザの中には、一般のユーザの他に、迷惑メール等を無作為に送信する悪意のユーザも含まれる。
【００１５】
上記したサーバ群３１〜３４として、ＳＭＳゲートウェイ３１、ＳＭＳ配信装置３２、ＳＭＳ振分装置３３、そして、本発明によって追加される１以上のＳＭＳフィルタ装置３４が用意される。ここでは、ＳＭＳフィルタ装置３４として＃１と＃２の２組が用意される。ＳＭＳフィルタ装置３４が設置される台数は、システム負荷の程度によって決定される。
ＳＭＳゲートウェイ３１は、パケット網４を介し発着信端末１から、もしくはＳＭＳフィルタ装置３４から送信されるショートメッセージを受信し、発着信端末１が収容されているＳＭＳ配信装置３２を割り出して制御を渡す機能を持つ。また、ＳＭＳ振分装置３３は、電話回線網５を介し発着信端末１からショートメッセージを受信し、発着信端末１を収容するＳＭＳ配信装置３２を割り出して制御を渡す機能を持つ。更に、ＳＭＳ配信装置３２は、ＳＭＳゲートウェイ３１ならびにＳＭＳ振分装置３３から受信したショートメッセージを、発着信端末１の在圏位置を割り出して交換網（図示せぬＤＴＭＦ：Dual Tone Multiple Frequencyメッセージ変換装置経由：電話回線網５からＤＴＭＦメッセージをショートメッセージに変換して引き渡す機能を持つ）へ配信する機能を持つ。
【００１６】
一方、ＳＭＳフィルタ装置３４は、ＳＭＳゲートウェイ３１ならびにＳＭＳ振分装置３３からショートメッセージを受信して受信確認のための送達通知を行い、当該受信したショートメッセージが、事前にフィルタ登録がなされている発着信端末１宛てのショートメッセージであることが確認されたとき、先に受信したショートメッセージの本文中における特定文字（電話番号、ＵＲＬ、ユーザが指定した文字他）の判別によりフィルタチェックを行い、当該フィルタチェックの結果に従い後述する固定のショートメッセージを生成してＳＭＳゲートウェイ３１もしくはＳＭＳ配信装置３２経由で発着信端末１に返信する機能を持つ。ＳＭＳフィルタ装置３４の内部構成等、詳細は図２を参照しながら後述する。
【００１７】
図２は、本発明の実施形態に係るＳＭＳフィルタ装置の内部構成を機能展開して示したブロック図である。
本発明の実施形態に係るＳＭＳフィルタ装置３４は、機能設定部３４１と、ＳＭ送受信部３４２と、機能実行制御部３４３と、固定ＳＭ生成・送信部３４４と、課金処理部３４５と、ＳＭ送信タイミング制御部３４６で構成される。
【００１８】
機能設定部３４１は、発着信端末１から、フィルタに関する登録、解除、状態確認機能のそれぞれに割当てられる代表電話番号に基づいて送信されるショートメッセージを受信し、その代表電話番号に対応して定義される機能登録を行い、確認のための固定のショートメッセージを送信する機能を持つ。それぞれに対応する代表番号の一例は図１３に、固定のショートメッセージの一例は図１４に示されている。いずれも詳細は後述する。
また、ＳＭ送受信部３４２は、発着信端末１からパケット網４もしくは電話回線網５を介して送信されるショートメッセージを受信して送達通知のための返信を行う機能を持つ。
【００１９】
一方、機能実行制御部３４３は、受信したショートメッセージが、事前にフィルタ登録がなされている発着信端末１宛てのショートメッセージであることが確認されたとき、受信したショートメッセージの本文中における特定文字の判別によりフィルタ機能（チェック）を実行する他、フィルタ登録、フィルタ解除、状態確認のための各機能を実行する。
図１５に、上述したフィルタ機能が表形式で説明されている。すなわち、図１５（ａ）に示されるように、本発明のＳＭＳフィルタ装置３４によれば、フィルタチェックを有効にするか、解除するかについて登録設定を可能としている。また、これら登録状況の確認も可能である。更に、図１５（ｂ）に示されるように、ユーザのうち、フィルタ実施登録加入者に対して、ショートメッセージ本文中に含まれる、電話番号、ＵＲＬ、ユーザによって指定される特定文字の有無がチェックされる。ここでは、電話番号の場合は、０から始まるＸＸ桁以上の記述および、電話番号を示す記号により電話番号が含まれていることを判別し、また、ＵＲＬの場合は、ｈｔｔｐ：／／およびｈｔｔｐｓ：／／の記述によりＵＲＬアドレスの記載であることを判別し、更に、特定文字の場合は、フィルタ登録加入者が任意で指定した文字を判別する。
なお、固定ＳＭ生成・送信部３４４は、機能実行制御部３４３によるフィルタチェックの結果に従い、図１４に一例が示される固定のショートメッセージを生成して発着信端末１に返信する機能を持つ。
【００２０】
また、課金処理部３４５は、発着信端末１からパケット網４もしくは電話回線網５を介して送信されるショートメッセージを受信したときに発着信端末１のユーザに対して課金処理を実行する機能を持つ。課金処理部３４５は、以下に説明されるように悪意の送信者に対して迷惑メール発信に対する抑止力のために付加される。
更に、ＳＭ送信タイミング制御部３４６は、ショートメッセージによる送達通知のための返信後、所定時間経過後に固定のショートメッセージを送信し、発着信端末１における送達通知後の固定ショートメッセージの受信を保証する機能を持つ。ＳＭ送信タイミング制御部３４６は、送信者側において受信される送達通知のためのショートメッセージと固定ショートメッセージ受信との競合を回避するために付加される。
【００２１】
図３〜図１２は、本発明の実施形態に係るＳＭＳシステムの動作を説明するために引用した動作シーケンス図である。いずれも、発着信端末１とＳＭＳＣ内のサーバ群（ＳＭＳゲートウェイ３１、ＳＭＳ配信装置３２、ＳＭＳ振分装置３３、ＳＭＳフィルタ装置３４）との間のやりとりが示されている。
ちなみに、図３は、パケット網４からのショートメッセージ加入者によるフィルタ登録（有効）動作、図４は、パケット網４からのショートメッセージ加入者によるフィルタ登録（解除）動作を示す。また、図５は、電話回線網５からのショートメッセージ加入者によるフィルタ登録（有効）動作、図６は、電話回線網５からのショートメッセージ加入者によるフィルタ登録（解除）動作を示す。更に、図７は、パケット網４からのショートメッセージ加入者によるフィルタ登録状況の確認動作、図８は、電話回線網５からのショートメッセージ加入者によるフィルタ登録状況の確認動作を示す。
【００２２】
また、図９は、パケット網４からのショートメッセージ加入者発信によるフィルタ制御動作（着信者：フィルタ登録有効）、図１０は、パケット網４からのショートメッセージ加入者発信によるフィルタ制御動作（着信者：フィルタ登録解除）、図１１は、電話回線網５からショートメッセージ加入者発信によるフィルタ制御動作（着信者：フィルタ登録有効）、図１２は、電話回線網５からショートメッセージ加入者発信によるフィルタ制御動作（着信者：フィルタ登録解除）を示す。
【００２３】
以下、図３〜図１２に示すシーケンス図を参照しながら、図１、図２、そして、図１３〜図１５に示す本発明の実施形態の動作について詳細に説明する。
【００２４】
図３は、上記したようにパケット網４からのショートメッセージ加入者によるフィルタ登録（有効）動作を示している。
図３において、発着信端末１は、ＳＭＳゲートウェイ３１に対し、フィルタ登録（有効用）の代表電話番号、ここでは、０９０４４４４００１１にショートメッセージ（図ではＳＭＳ）を送信する（Ｓ３１）。ＳＭＳゲートウェイ３１は受信したＳＭＳを判定してＳＭＳフィルタ装置３４に制御を移す（Ｓ３２）。ここで、ＳＭＳフィルタ装置３４は、ＳＭＳゲートウェイ３１経由で発着信端末１に対してＳＭＳの送達結果通知を返信する（Ｓ３３、Ｓ３４）。ＳＭＳフィルタ装置３４はまた、代表電話番号を認識してデータ登録を行い、固定文、ここでは図１４に示す１−１「ブロック機能が設定されました。接続先ＵＲＬおよび電話番号と認識される文字を含むメールを破棄します」を送信する（Ｓ３５）。最後に、その固定文を発着信端末１へ返信する（Ｓ３６、Ｓ３７）。
【００２５】
図４は、上記したように、パケット網４からのショートメッセージ加入者によるフィルタ登録（解除）動作を示している。
図４において、発着信端末１は、ＳＭＳゲートウェイ３１に対し、フィルタ登録（解除用）の代表電話番号、ここでは、０９０４４４４００１０にＳＭＳを送信する（Ｓ４１）。ＳＭＳゲートウェイ３１は受信したＳＭＳを判定してＳＭＳフィルタ装置３４に制御を移す（Ｓ４２）。ここで、ＳＭＳフィルタ装置３４は、ＳＭＳゲートウェイ３１経由で発着信端末１に対してＳＭＳの送達結果通知を返信する（Ｓ４３、Ｓ４４）。ＳＭＳフィルタ装置３４はまた、代表電話番号を認識してデータ登録を行い、固定文、ここでは図１４に示す２−１「ブロック機能が解除されました」を送信する（Ｓ４５）。最後に、その固定文を発着信端末１へ返信する（Ｓ４６、Ｓ４７）。
【００２６】
図５は、上記したように、電話回線網５からのショートメッセージ加入者によるフィルタ登録（有効）動作を示している。
図５において、発着信端末１は、図示せぬＤＴＭＦメッセージ変換装置を介し、ＳＭＳ振分装置３３に対してフィルタ登録有効用の代表番号、ここでは、図１３に示す０９０４４４４００１１を用いてＳＭＳを送信する（Ｓ５１）。ＳＭＳを受信したＳＭＳ振分装置３３は発着信端末１に受信応答を行うと共に（Ｓ５２）、そのＳＭＳを判定してＳＭＳフィルタ装置３４に制御を移す（Ｓ５３）。
ＳＭＳフィルタ装置３４は、代表電話番号を認識してデータ登録を行い、固定文、ここでは図１４に示す１−１「ブロック機能が設定されました。接続先ＵＲＬおよび電話番号と認識される文字を含むメールを破棄します」を送信する（Ｓ５４）。最後に、その固定文を発着信端末１へ返信する（Ｓ５５、Ｓ５６）。
【００２７】
図６は、上記したように、電話回線網５からのショートメッセージ加入者によるフィルタ登録（解除）動作を示している。
図６において、発着信端末１は、図示せぬＤＴＭＦメッセージ変換装置を介し、ＳＭＳ振分装置３３に対してフィルタ解除用の代表番号、ここでは、図１３に示す０９０４４４４００１０を用いてＳＭＳを送信する（Ｓ６１）。ＳＭＳを受信したＳＭＳ振分装置３３は発着信端末１に受信応答を行うと共に（Ｓ６２）、そのＳＭＳを判定してＳＭＳフィルタ装置３４に制御を移す（Ｓ６３）。
ＳＭＳフィルタ装置３４は、代表電話番号を認識してデータ登録を行い、固定文、ここでは図１４に示す２−１「ブロック機能が解除されました」を送信する（Ｓ６４）。最後に、その固定文を発着信端末１へ返信する（Ｓ６５、Ｓ６６）。
【００２８】
図７は、上記したように、パケット網４からのショートメッセージ加入者によるフィルタ登録状況の確認動作を示している。
図７において、発着信端末１は、ＳＭＳゲートウェイ３１に対し、フィルタ登録確認用の代表電話番号、ここでは、０９０４４４４００１２にＳＭＳを送信する（Ｓ７１）。ＳＭＳゲートウェイ３１は受信したＳＭＳを判定してＳＭＳフィルタ装置３４に制御を移す（Ｓ７２）。ここで、ＳＭＳフィルタ装置３４は、ＳＭＳゲートウェイ３１経由で発着信端末１に対してＳＭＳの送達結果通知を返信する（Ｓ７３、Ｓ７４）。ＳＭＳフィルタ装置３４はまた、代表電話番号を認識して登録状況の確認と固定文の送信、ここでは図１４に示す３−１「現在、ブロック機能が設定されています。接続先ＵＲＬ及び電話番号と認識される文字を含むメールを破棄します」、または３−２「現在ブロック機能が解除されています」を送信する（Ｓ７５）。最後に、その固定文を発着信端末１へ返信する（Ｓ７６、Ｓ７７）。
【００２９】
図８は、上記したように、電話回線網５からのショートメッセージ加入者によるフィルタ登録状況の確認動作を示している。
図８において、発着信端末１は、図示せぬＤＴＭＦメッセージ変換装置を介し、ＳＭＳ振分装置３３に対してフィルタ登録確認用の代表番号、ここでは、図１３に示す０９０４４４４００１２を用いてＳＭＳを送信する（Ｓ８１）。ＳＭＳを受信したＳＭＳ振分装置３３は発着信端末１に受信応答を行うと共に（Ｓ８２）、そのＳＭＳを判定してＳＭＳフィルタ装置３４に制御を移す（Ｓ８３）。
ＳＭＳフィルタ装置３４は、代表電話番号を認識して登録状況の確認と固定文の送信、ここでは図１４に示す３−１「現在、ブロック機能が設定されています。接続先ＵＲＬ及び電話番号と認識される文字を含むメールを破棄します」、または３−２「現在ブロック機能が解除されています」を送信する（Ｓ８４）。最後に、その固定文を発着信端末１へ返信する（Ｓ８５、Ｓ８６）。
【００３０】
図９は、上記したように、パケット網４からのショートメッセージ加入者発信によるフィルタ制御動作（着信者：フィルタ登録有効）を示している。
図９において、悪意のユーザが発着信端末１を操作し、パケット網４経由で第三者に無作為にＳＭＳを送信したものとする（Ｓ９１）。これを受信したＳＭＳゲートウェイ３１は、そのＳＭＳをＳＭＳフィルタ装置３４に送信して制御を移す（Ｓ９２）。
ＳＭＳフィルタ装置３４は、受信確認（送達通知）を送信すると共に（Ｓ９３、Ｓ９４）、受信したＳＭＳに含まれる電話番号、ＵＲＬ、あるいはユーザにより指定された特定文字の有無をチェックする。そして、有りの場合、固定文、ここでは図１４に示す４−１「０Ａ０ＣＤＥＦＧＨＪＫ宛てに送信されたメールは、ブロック機能によって破棄されました」を、ＳＭＳゲートウェイ３１、ＳＭＳ配信装置３２を経由して送信者の発着信端末１に送信する（Ｓ９５、Ｓ９６、Ｓ９７）。
【００３１】
図１０は、上記したように、パケット網４からのショートメッセージ加入者発信によるフィルタ制御動作（着信者：フィルタ登録解除）を示している。
図１０において、悪意のユーザが発着信端末１を操作し、パケット網４経由で第三者に無作為にＳＭＳを送信したものとする（Ｓ１０１）。これを受信したＳＭＳゲートウェイ３１は、そのＳＭＳをＳＭＳフィルタ装置３４に送信して制御を移す（Ｓ１０２）。
ＳＭＳフィルタ装置３４は、受信したＳＭＳに含まれる電話番号、ＵＲＬ、あるいはユーザにより指定された特定文字の有無に関するチェックを省略して着信者へそのＳＭＳを送信する（Ｓ１０３、Ｓ１０４、Ｓ１０５）。そして、ＳＭＳ配信装置３２、ＳＭＳゲートウェイ３１を経由して送信者の発着信端末１にＳＭＳ送達結果通知を行う（Ｓ１０６、Ｓ１０７、Ｓ１０８）。
【００３２】
図１１は、上記したように、電話回線網５からショートメッセージ加入者発信によるフィルタ制御動作（着信者：フィルタ登録有効）を示している。
図１１において、発着信端末１（発信者）が、フィルタ登録有効となっている第三者に対して無作為にＳＭＳを送信したとする。このＳＭＳは、図示せぬＤＴＭＦメッセージ変換装置を介してＳＭＳ振分装置３３に対し送信される（Ｓ１１１）。ＳＭＳを受信したＳＭＳ振分装置３３は、ＳＭＳを送信した発着信端末１に対して受信応答を行うと共に（Ｓ１１２）、そのＳＭＳを判定してＳＭＳフィルタ装置３４に制御を移す（Ｓ１１３）。
ＳＭＳフィルタ装置３４は、受信したＳＭＳに含まれる電話番号、ＵＲＬ、あるいはユーザにより指定された特定文字の有無をチェックする。そして、有りの場合、固定文、ここでは図１４に示す４−１「０Ａ０ＣＤＥＦＧＨＪＫ宛てに送信されたメールは、ブロック機能によって破棄されました」を、ＳＭＳゲートウェイ３１、ＳＭＳ配信装置３２を経由して送信者の発着信端末１に送信する（Ｓ１１４、Ｓ１１５、Ｓ１１６）。
【００３３】
図１２は、上記したように、電話回線網５からショートメッセージ加入者発信によるフィルタ制御動作（着信者：フィルタ登録解除）を示している。
図１２において、発着信端末１（発信者）が、フィルタ登録が解除されている第三者に対して無作為にＳＭＳを送信したとする。このＳＭＳは、図示せぬＤＴＭＦメッセージ変換装置を介してＳＭＳ振分装置３３に対し送信される（Ｓ１２１）。ＳＭＳを受信したＳＭＳ振分装置３３は、ＳＭＳを送信した発着信端末１に対して受信応答を行うと共に（Ｓ１２２）、そのＳＭＳを判定してＳＭＳフィルタ装置３４に制御を移す（Ｓ１２３）。
ＳＭＳフィルタ装置３４は、受信したＳＭＳに含まれる電話番号、ＵＲＬ、あるいはユーザにより指定された特定文字の有無に関するチェックを省略してフィルタ登録が解除された着信者へそのＳＭＳを送信する（Ｓ１２４、Ｓ１２５、Ｓ１２６）。
【００３４】
なお、図９〜図１２に示す動作シーケンス図において、ＳＭＳフィルタ装置３４は、受信したＳＭＳ本文中に、電話番号やＵＲＬ、あるいは特定の文字の有無をチェックするが、これら情報が見つかった場合は、ＳＭＳ配信装置３２を介して送信者にＳＭＳがブロックされたことを通知する。ここで、迷惑メールであった場合も同様の処理が行われ、ＳＭＳを受信した時点で課金処理が実行されるため、迷惑メール送信者に対する抑止力が期待できる。
【００３５】
ところで、上記した本発明の実施形態によれば、ショートメッセージを発信した発着信端末１は、ＳＭＳフィルタ装置３４から、固定のショートメッセージを、発信したショートメッセージの送達通知と同時、もしくはそれ以前に受信する可能性がある。その際、固定ショートメッセージの受信が拒否されてＳＭＳ配信装置３２に蓄積され、ＳＭＳ配信装置３２で管理される再送契機において、固定のショートメッセージが遅延配信される可能性がある。このため、本発明のＳＭＳフィルタ装置３４は、タイマを内蔵したＳＭＳ送信タイミング制御部３４６を備えており、ＳＭＳ送信タイミング制御部３４６により、送達通知のためのショートメッセージと固定ショートメッセージとの競合受信を回避している。
【００３６】
図１６は、上記した競合回避のために実現される、ショートメッセージの送達通知と固定ショートメッセージとの送信タイミングを示すシーケンス図である。ここでは、パケット網４からのショートメッセージによるフィルタ制御（フィルタ登録：有効）を引用して説明する。
まず、発着信端末１によりフィルタ登録者へショートメッセージ（図中、ＳＭＳ）が発信される（Ｓ１６１）。このショートメッセージ本文中にはＵＲＬ、電話番号あるいはユーザにより指定される特定文字が含まれており、ＳＭＳフィルタ装置３４で受信される（Ｓ１６２）。
【００３７】
ＳＭＳフィルタ装置３４は、ＳＭ送受信部３４２でこのショートメッセージを受信して機能実行制御部３４３に制御を移す。機能実行制御部３４３は、フィルタ登録者へのショートメッセージであることを認識し、かつ、本文チェックを行ってフィルタの対象であることを判定する。
このことにより、機能実行制御部３４３は、そのショートメッセージを破棄し、当該破棄した旨を、固定ＳＭ生成・送信部３４４により生成され送信される固定のショートメッセージにより、ＳＭＳゲートウェイ３１経由でショートメーセージを発信した発着信端末１に配信する。
【００３８】
このとき、ＳＭ送信タイミング制御部３４６は、ＳＭ送受信部３４２による送達通知返信後（Ｓ１６３、Ｓ１６４）、内蔵のタイマによる所定時間計時後（０〜２０秒程度）に固定のショートメッセージの配信タイミングを制御する。このことにより、固定のショートメッセージをＳＭＳ配信装置３２経由で、一回で確実に発信者へ配信させることを実現している（Ｓ１６５、Ｓ１６６、Ｓ１６８）。
このことにより、送信者側では、送達通知の返信と固定のショートメッセージ配信で一定の間隔を保証した受信が可能になる（Ｓ１６７：受信確認ＯＫ）。従って、一連のショートメッセージ制御（Ｓ１６２：ＵＲＬ、電話番号付きショートメッセージ送信→フィルタチェック→Ｓ１６５：固定のショートメッセージ配信によるブロック通知）において、送信者にフィルタによりブロックした旨をリアルタイムで確実に通知することができる。
【００３９】
以上説明のように本発明は、ＳＭＳフィルタ装置３４が、発着信端末１からパケット網４もしくは電話回線網５を介して送信されるショートメッセージを受信して受信確認のための送達通知を行い、受信したショートメッセージが事前にフィルタ登録がなされている発着信端末１宛てのショートメッセージであることが確認されたときに、受信したショートメッセージの本文中における特定文字の判別によりフィルタチェックを行い、当該フィルタチェックの結果に従い固定のショートメッセージを生成して発着信端末１に返信するものであり、このことにより、迷惑メールに対する着信拒否を実現することができる。
【００４０】
また、本発明は、ユーザが発着信端末１を操作して、登録用、解除用、状態確認用のそれぞれに割当てられた代表電話番号にショートメッセージを送信するだけでフィルタリングに関するそれぞれの機能を簡単に実行するものであり、このことにより、ショートメッセージのフィルタリングを簡単に登録できる環境を構築することができる。
更に、本発明は、ＳＭＳフィルタ装置３４が一旦迷惑メールを受信したときに送信者に課金処理を実行することにより、悪意の発信者に対して迷惑メール送信に対する抑止力を期待できる。また、ショートメッセージによる送達通知のための返信後、所定時間経過後に固定のショートメッセージを送信することで、発着信端末１における送達通知後の固定ショートメッセージの受信を保証し、このことにより、ＳＭＳフィルタ装置３４による送達通知のためのショートメッセージと固定ショートメッセージの送信者側における競合受信を回避するのである。
【００４１】
なお、図２に示す機能設定部３４１、ＳＭ送受信部３４２、機能実行制御部３４３、固定ＳＭ生成・送信部３４４、課金処理部３４５、ＳＭ送信タイミング制御部３４６のそれぞれで実行される手順をコンピュータ読み取り可能な記録媒体に記録し、この記録媒体に記録されたプログラムをコンピュータシステムに読み込ませ、実行することによって本発明のＳＭＳフィルタ装置を実現することができる。ここでいうコンピュータシステムとは、ＯＳや周辺装置等のハードウェアを含む。
【００４２】
また、「コンピュータシステム」は、ＷＷＷシステムを利用している場合であれば、ホームページ提供環境（あるいは表示環境）も含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組合せで実現できるもの、いわゆる差分ファイル（差分プログラム）であっても良い。
【００４３】
以上、この発明の実施形態につき、図面を参照して詳述してきたが、具体的な構成はこの実施形態に限られるものではなく、この発明の要旨を逸脱しない範囲の設計等も含まれる。例えば、本実施形態においては、フィルタリングの対象として登録された用語を本文に含むメールのみ廃棄する例を示したが、これに限らず、例えば、登録された用語を本文に含むメールのみを送信し、含まないメールを廃棄するような方法であってもよい。
【図面の簡単な説明】
【００４４】
【図１】本発明の実施形態に係るＳＭＳシステムのシステム構成の一例を示す図である。
【図２】本発明の実施形態に係るＳＭＳフィルタ装置の内部構成を機能展開して示したブロック図である。
【図３】本発明の実施形態に係るＳＭＳシステムの動作を説明するために引用した動作シーケンス図である。
【図４】本発明の実施形態に係るＳＭＳシステムの動作を説明するために引用した動作シーケンス図である。
【図５】本発明の実施形態に係るＳＭＳシステムの動作を説明するために引用した動作シーケンス図である。
【図６】本発明の実施形態に係るＳＭＳシステムの動作を説明するために引用した動作シーケンス図である。
【図７】本発明の実施形態に係るＳＭＳシステムの動作を説明するために引用した動作シーケンス図である。
【図８】本発明の実施形態に係るＳＭＳシステムの動作を説明するために引用した動作シーケンス図である。
【図９】本発明の実施形態に係るＳＭＳシステムの動作を説明するために引用した動作シーケンス図である。
【図１０】本発明の実施形態に係るＳＭＳシステムの動作を説明するために引用した動作シーケンス図である。
【図１１】本発明の実施形態に係るＳＭＳシステムの動作を説明するために引用した動作シーケンス図である。
【図１２】本発明の実施形態に係るＳＭＳシステムの動作を説明するために引用した動作シーケンス図である。
【図１３】本発明の実施形態において機能毎割当てられる代表番号一覧を表形式で示した図である。
【図１４】本発明の実施形態における固定のショートメッセージ配信文言の一覧を表形式で示した図である。
【図１５】本発明の実施形態におけるフィルタ機能の条件およびチェック項目を表形式で示した図である。
【図１６】本発明の実施形態に係るＳＭＳシステムの動作を説明するために引用した動作シーケンス図である。
【符号の説明】
【００４５】
１…発着信端末、２…基地局、３…ＳＭＳＣ（ショートメッセージサービスセンタ）、４…パケット網、５…電話回線網、３１…ＳＭＳゲートウェイ、３２…ＳＭＳ配信装置、３３…ＳＭＳ振分装置、３４…ＳＭＳフィルタ装置、３４１…機能設定部、３４２…ＳＭ送受信部、３４３…機能実行制御部、３４４…固定ＳＭ生成・送信部、３４５…課金処理部、３４６…ＳＭ送信タイミング制御部
【図１】
2006243837.tif 000003
【図２】
2006243837.tif 000004
【図３】
2006243837.tif 000005
【図４】
2006243837.tif 000006
【図５】
2006243837.tif 000007
【図６】
2006243837.tif 000008
【図７】
2006243837.tif 000009
【図８】
2006243837.tif 000010
【図９】
2006243837.tif 000011
【図１０】
2006243837.tif 000012
【図１１】
2006243837.tif 000013
【図１２】
2006243837.tif 000014
【図１３】
2006243837.tif 000015
【図１４】
2006243837.tif 000016
【図１５】
2006243837.tif 000017
【図１６】
2006243837.tif 000018